(57)【要約】【課題】緊急のときに既設品と代替品の切替を早急に可能にし、エレベーターの運行を妨げないようにする為のエレベーターの信号切替方法を提供する。【解決手段】信号送受信部５に対する電源ないし信号送受信機能を持った機器として既設品１と代替品２を設け、既設品１と信号送受信部５とは、信号線１２ａと、抜差し可能な既設品側コネクタ３と、信号線１２ｂを介して接続し、代替品２と信号送受信部５は、信号線１３ａと、抜差し可能な代替品側コネクタ４と、信号線１３ｂを介して接続する。両コネクタの差込み、切離し状態を切替えることにより、信号送受信部５との接続を、既設品１から代替品２へ、または代替品２から既設品１へと切替えることができる。【選択図】　図１
2004010200.tif 000002
【特許請求の範囲】
【請求項１】
信号送受信部に対する信号送受信機能を有する機器として既設品と代替品とを備え、信号送受信部からの同一信号線を複数に分岐し、それぞれ抜差し可能なコネクタを介して既設品および代替品に接続し、前記コネクタを抜差しすることにより既設品と代替品とを切替えることを特徴とするエレベーターの信号切替方法。
【請求項２】
信号送受信部に対する信号送受信機能を有する機器として既設品と代替品とを備え、信号送受信部からの同一信号線を複数に分岐し、それぞれスイッチを介して既設品および代替品に接続し、前記スイッチを開閉することにより既設品と代替品とを切替えることを特徴とするエレベーターの信号切替方法。
【請求項３】
信号送受信部に対する信号送受信機能を有する機器として既設品と代替品とを備え、信号送受信部からの同一信号線を複数に分岐し、それぞれリレー接点を介して既設品および代替品に接続し、スイッチによりリレーコイルを動作させて前記リレー接点を開閉させることにより既設品と代替品とを切替えることを特徴とするエレベーターの信号切替方法。
【請求項４】
信号送受信部に対する信号送受信機能を有する機器として既設品と代替品とを備え、信号送受信部からの同一信号線を複数に分岐し、それぞれリレー接点を介して既設品および代替品に接続し、既設品の異常を検出した信号によりリレーコイルを動作させて前記リレー接点を開閉させることにより、代替品へ切替えることを特徴とするエレベーターの信号切替方法。
【請求項５】
信号送受信部に対する信号送受信機能を有する機器として既設品と代替品とを備え、信号送受信部からの同一信号線を複数に分岐し、それぞれリレー接点を介して既設品および代替品に接続し、代替品の異常を検出した信号によりリレーコイルを動作させて前記リレー接点を開閉させることにより、既設品へ切替えることを特徴とするエレベーターの信号切替方法。
【請求項６】
信号送受信部に対する信号送受信機能を有する機器として既設品と代替品とを備え、既設品と代替品のそれぞれにコネクタを接続するとともに、信号送受信部からの信号線にコネクタを接続し、信号送受信部からの信号線に接続されているコネクタを、既設品に接続されているコネクタ及び代替品に接続されているコネクタのうちの一つから他の一つに接続を切替えることにより、既設品と代替品を切替えることを特徴とするエレベーターの信号切替方法。
【請求項７】
信号送受信部に対する信号送受信機能を有する機器として既設品と代替品とを備え、信号送受信部からの複数の信号線のそれぞれを複数に分岐し、分岐した複数の信号線を、信号線毎に切替可能なスイッチを介して既設品および代替品に接続し、既設品との間で入出力する信号と、代替品との間で入出力する信号とを、前記信号線毎に切替可能なスイッチにより信号別に選択して切替えることを特徴とするエレベーターの信号切替方法。
【請求項８】
信号送受信部に対する信号送受信機能を有する機器として既設品と代替品とを備え、信号送受信部からの同一信号線を複数に分岐し、それぞれリレー接点を介して既設品および代替品に接続し、遠隔操作によりリレーコイルを動作させて前記リレー接点を開閉させることにより、既設品と代替品とを遠隔操作で切替えることを特徴とするエレベーターの信号切替方法。
【発明の詳細な説明】
【０００１】
【発明の属する技術分野】
本発明は、エレベーターにおいて、信号送受信部に対する信号送受信機能を有する機器の既設品から代替品への信号切替または代替品から既設品への信号切替を行なう信号切替方法に関する。
【０００２】
【従来の技術】
図９および図１０は、従来の既設品１から代替品２への信号切替方法を説明するための図である。
【０００３】
通常、出荷された状態では図９のように、既設品１と信号送受信部５は直接接続されている。既設品１から代替品２へ切替える場合は、既設品１を完全に撤去して代替品２を取付けて、図１０のように代替品２と信号送受信部５を直接接続するようにしている。切替作業として、既設品１と信号送受信部５の間の信号線１２を切離して信号線１２を撤去し、既設品１を撤去して、代替品２を設置して、新たな信号線１３を代替品２と信号送受信部５の間に接続する工程が必要である。
【０００４】
既設品１と代替品２の信号に対しての接続端子が完全に一致していれば、信号線１２を撤去する必要はないが、接続端子が完全に一致しないことや、既設品１と代替品２の取付け箇所の違いにより、信号線１２の長さや本数を変更しなければならないことが多々ある。このような場合、今までと違う場所へ信号を接続しなければならなくなり、代替品２と信号送受信部５の間の信号線１３の接続に時間を要する。また、接続を変更しているので、動作確認等の確認も必要なので、切替作業としてのトータルの時間としては、復帰までかなりの時間を要することが考えられる。
【０００５】
【発明が解決しようとする課題】
以上述べたように、従来のエレベーターの部品交換では、既設品を完全に撤去して代替品を設置しているので、代替品に原因不明の異常が発生した場合に、既設品へ戻すためには代替品を撤去して既設品を設置し直すので、作業時間を要し、エレベーターを運行したいときに運行できない状況になる恐れがあった。
【０００６】
また、既設品が異常になる前に代替品へ交換するので、既設品をまだ使用できるにも関わらず代替品に交換するなど、廃棄物削減という観点からみても無駄な使い方をしている。
【０００７】
本発明の目的は、緊急のときに既設品と代替品の切替を早急に可能にし、エレベーターの運行を妨げないようにする為のエレベーターの信号切替方法を提供することにある。
【０００８】
【課題を解決するための手段】
請求項１に記載の本発明に係るエレベーターの信号切替方法は、信号送受信部に対する信号送受信機能を有する機器として既設品と代替品とを備え、信号送受信部からの同一信号線を複数に分岐し、それぞれ抜差し可能なコネクタを介して既設品および代替品に接続し、コネクタを抜差しすることにより既設品と代替品とを切替えることを特徴とする。
【０００９】
このようなエレベーターの信号切替方法によれば、コネクタを抜差しすることにより既設品と代替品とを簡単に切替えることができる。また、代替品の設置や接続作業に時間がかかる場合に、これらの作業を途中で中止させることが可能となる。
【００１０】
請求項２に記載の本発明に係るエレベーターの信号切替方法は、信号送受信部に対する信号送受信機能を有する機器として既設品と代替品とを備え、信号送受信部からの同一信号線を複数に分岐し、それぞれスイッチを介して既設品および代替品に接続し、スイッチを開閉することにより既設品と代替品とを切替えることを特徴とする。
【００１１】
このようなエレベーターの信号切替方法によれば、スイッチを開閉することにより、既設品と代替品とを簡単に切替えることができる。
【００１２】
請求項３に記載の本発明に係るエレベーターの信号切替方法は、信号送受信部に対する信号送受信機能を有する機器として既設品と代替品とを備え、信号送受信部からの同一信号線を複数に分岐し、それぞれリレー接点を介して既設品および代替品に接続し、スイッチによりリレーコイルを動作させてリレー接点を開閉させることにより既設品と代替品とを切替えることを特徴とする。
【００１３】
このようなエレベーターの信号切替方法によれば、スイッチによりリレーコイルを動作させてリレー接点を開閉させることにより既設品と代替品とを簡単に切替えることができる。また、通常リレーに複数のリレー接点が設けられているので、１つのスイッチで複数の信号を切替えることが可能となる。
【００１４】
請求項４に記載の本発明に係るエレベーターの信号切替方法は、信号送受信部に対する信号送受信機能を有する機器として既設品と代替品とを備え、信号送受信部からの同一信号線を複数に分岐し、それぞれリレー接点を介して既設品および代替品に接続し、既設品の異常を検出した信号によりリレーコイルを動作させてリレー接点を開閉させることにより、代替品へ切替えることを特徴とする。
【００１５】
このようなエレベーターの信号切替方法によれば、既設品の異常を検出した信号により既設品から代替品へ簡単に切替えることができる。また、既製品を寿命に達する最後まで使い切ることが可能となる。
【００１６】
請求項５に記載の本発明に係るエレベーターの信号切替方法は、信号送受信部に対する信号送受信機能を有する機器として既設品と代替品とを備え、信号送受信部からの同一信号線を複数に分岐し、それぞれリレー接点を介して既設品および代替品に接続し、代替品の異常を検出した信号によりリレーコイルを動作させてリレー接点を開閉させることにより、既設品へ切替えることを特徴とする。
【００１７】
このようなエレベーターの信号切替方法によれば、代替品の異常を検出した信号により代替品から既設品へ簡単に切替えることができる。従って、まだ寿命に達していない既設品をバックアップとして利用することができる。
【００１８】
請求項６に記載の本発明に係るエレベーターの信号切替方法は、信号送受信部に対する信号送受信機能を有する機器として既設品と代替品とを備え、既設品と代替品のそれぞれにコネクタを接続するとともに、信号送受信部からの信号線にコネクタを接続し、信号送受信部からの信号線に接続されているコネクタを、既設品に接続されているコネクタ及び代替品に接続されているコネクタのうちの一つから他の一つに接続を切替えることにより、既設品と代替品を切替えることを特徴とする。
【００１９】
このようなエレベーターの信号切替方法によれば、コネクタの接続を変えることにより既設品と代替品とを簡単に切替えることができる。
【００２０】
請求項７に記載の本発明に係るエレベーターの信号切替方法は、信号送受信部に対する信号送受信機能を有する機器として既設品と代替品とを備え、信号送受信部からの複数の信号線のそれぞれを複数に分岐し、分岐した複数の信号線を、信号線毎に切替可能なスイッチを介して既設品および代替品に接続し、既設品との間で入出力する信号と、代替品との間で入出力する信号とを、信号線毎に切替可能なスイッチにより信号別に選択して切替えることを特徴とする。
【００２１】
このようなエレベーターの信号切替方法によれば、信号線毎に切替可能なスイッチにより信号別に選択して既設品と代替品とを簡単に切替えることができる。
【００２２】
請求項８に記載の本発明に係るエレベーターの信号切替方法は、信号送受信部に対する信号送受信機能を有する機器として既設品と代替品とを備え、信号送受信部からの同一信号線を複数に分岐し、それぞれリレー接点を介して既設品および代替品に接続し、遠隔操作によりリレーコイルを動作させてリレー接点を開閉させることにより、既設品と代替品とを遠隔操作で切替えることを特徴とする。
【００２３】
このようなエレベーターの信号切替方法によれば、遠隔操作により既設品と代替品とを簡単に切替えることができる。
【００２４】
【発明の実施の形態】
以下、図面を参照して本発明の実施形態について詳細に説明する。なお、以下の図において、同符号は同一部分または対応部分を示す。
【００２５】
（第１の実施の形態）
本発明の第１の実施の形態に係るエレベーターの信号切替方法を、図１、図９を参照して詳細に説明する。
【００２６】
図１において、既設品１は、信号送受信部５に対する電源ないし信号送受信機能を持った機器である。また、代替品２は既設品１と同様の機能を持った機器である。既設品１と信号送受信部５とは、信号線１２ａと、抜差し可能な既設品側コネクタ３と、信号線１２ｂを介して接続されている。また、既設品１と同様に、代替品２と信号送受信部５は、信号線１３ａと、抜差し可能な代替品側コネクタ４と、信号線１３ｂを介して接続されている。つまり、既設品１と代替品２へ信号送受信部５から同一信号線は分岐している。
【００２７】
先ず、作業として既設品１と信号送受信部５の間の信号線の変更をする。信号線１２ａと既設品側コネクタ３と信号線１２ｂの信号線は、あらかじめ製作されている。信号線１２ａと既設品側コネクタ３と信号線１２ｂの信号線は、図９の信号線１２と本数は同じで、長さもほぼ同じになっているので、既設品１および信号送受信部５の接続端子は同じなので、図９の信号線１２からの変更は、特に難しい作業は必要なく短時間で作業が可能である。
【００２８】
その後、接続場所の違い等により作業時間に時間を要するであろう、代替品２の設置と、これに信号線１３ａと代替品側コネクタ４と信号線１３ｂと信号送受信部５を接続する作業を行なう。
【００２９】
この代替品２の設置、および代替品２と信号送受信部５の間の接続作業をしている間に、何らかの事情により作業を中断して、エレベーターを動作させなければならないことが発生した場合、既設品側コネクタ３を差込み、既設品１と信号送受信部５を接続状態とし、代替品側コネクタ４を抜き、代替品２と信号送受信部５とを切離し状態にすることで、既設品１により動作可能になる。
【００３０】
つまり、最後まで作業を完了していなくても、既設品１と信号線１２ａと既設品側コネクタ３と信号線１２ｂと信号送受信部５が接続完了さえしていれば、復帰が可能になる。
【００３１】
また、代替品２への変更作業が完了して、代替品２により動作させている時に、代替品２に不具合が発生した場合、代替品側コネクタ４を抜き既設品側コネクタ３を差込むことで、既設品１で動作させることが可能になる。
【００３２】
なお、図１では信号線が１本しか図示していないが、複数本でも実施可能である。また、代替品も複数設置することもできる。
【００３３】
（第２の実施の形態）
次に、本発明の第２の実施の形態を、図２を参照して詳細に説明する。
【００３４】
この実施の形態は、本発明の第１の実施の形態として説明した既設品側コネクタ３および代替品側コネクタ４を、既設品側スイッチ６および代替品側スイッチ７に代えたものである。
【００３５】
図２に示すように、既設品１と信号送受信部５は、既設品側スイッチ６を介して接続されている。また、既設品１と同様に、代替品２と信号送受信部５は、代替品側スイッチ７を介して接続されている。従って、第１の実施の形態と同様に、既設品１と代替品２は信号送受信部５に対して並列に接続されている。なお、既設品側スイッチ６と代替品側スイッチ７は連動させ、既設品側スイッチ６と代替品側スイッチ７の一方のスイッチが閉（ＯＮ）のときは他方のスイッチが開（ＯＦＦ）となるように構成する。
【００３６】
このように、既設品側コネクタ３、代替品側コネクタ４をそれぞれ既設品側スイッチ６、代替品側スイッチ７に替えたのは、コネクタを抜差しするよりも既設品側スイッチ６、代替品側スイッチ７を開閉する方が簡単に信号を切替えることが出来るためである。しかし、スイッチは信号点数の分だけ必要なので、信号点数が少ない場合に適している。
【００３７】
（第３の実施の形態）
次に、本発明の第３の実施の形態を、図３を参照して詳細に説明する。
【００３８】
図３に示すように、リレー動作スイッチ９は、プラス電源とリレーコイル８のドライブ側との間に設置されており、リレー動作スイッチ９を閉（ＯＮ）とさせることでリレーコイル８に電圧が印加される。既設品１はリレーコイル８のＢ接点８ｂを介して、信号送受信部５に接続されている。また、代替品２はリレーコイル８のＡ接点８ａを介して信号送受信部５に接続されている。従って、この場合も、既設品１と代替品２は信号送受信部５に対して並列に接続されている。
【００３９】
リレー動作スイッチ９を閉とすることでリレーコイル１０に電圧が印加され、リレーコイル１０のＢ接点１０ｂはブレークし、リレーコイル１０のＡ接点１０ａはメークして、代替品２と信号送受信部５は接続状態になり、既設品１から代替品２ヘ、リレー動作スイッチ９により切替えることができる。また、リレー動作スイッチ９を開（ＯＦＦ）とすることで、リレーコイル１０には電圧が印加されなくなり、リレーコイル１０のＢ接点１０ｂはメークし、リレーコイル１０のＡ接点１０ａはブレークするので、既設品１と信号送受信部５は接続状態になり、代替品２から既設品１ヘリレー動作スイッチ９により切替えることができる。
【００４０】
このように、リレーをスイッチにより動作させることで、通常リレーには複数の接点が設けられている為、１つのスイッチで複数の信号を切替えることが可能になり、既設品１から代替品２および代替品２から既設品１への切替が簡単にできるようになる。
【００４１】
（第４の実施の形態）
次に、本発明の第４の実施の形態を、図４を参照して詳細に説明する。
【００４２】
この実施の形態は、本発明の第３の実施の形態で説明したリレー動作スイッチ９によりリレーを動作させているものを、既設品１から発せられる異常信号によりリレーを動作させるようにしたものである。
【００４３】
図４に示すように、リレーコイル１０は既設品１からの異常信号により動作するように接続されている。既設品１と信号送受信部５はリレーコイル１０のＢ接点１０ｂを介して接続されている。また、代替品２と信号送受信部５はリレーコイル１０のＡ接点１０ａを介して接続されている。従って、この場合も、既設品１と代替品２は信号送受信部５に対して並列に接続されている。
【００４４】
既設品１に故障等の異常がない場合、リレーコイル１０には電圧は印加されず、リレーコイル１０のＢ接点１０ｂはメーク、リレーコイル１０のＡ接点１０ａはブレークしており、信号送受信部５は既設品１と接続状態にある。既設品１に故障が発生しこれを検出して異常信号が発せられるとリレーコイル１０には電圧が印加され、リレーコイル１０のＢ接点１０ｂはブレーク、リレーコイル１０のＡ接点１０ａはメークして、信号送受信部５は代替品２と接続状態になり、自動的に既設品１から代替品２へ切替えられる。このようにすることにより、既製品１を寿命に達する最後まで使い切ることができ、既設品１の故障によるエレベーター停止が可能になるとともに、使えるものを破棄しなくて済むため廃棄物の削減が可能になる。
【００４５】
（第５の実施の形態）
次に、本発明の第５の実施の形態を、図５を参照して詳細に説明する。
【００４６】
この実施の形態は、第４の実施の形態で説明した既設品１からの異常信号によりリレーを動作させることに代えて、代替品２からの異常信号によりリレーを動作させることとしたものである。
【００４７】
図５に示すように、リレーコイル１１は代替品２からの正常信号によりＡ接点をメークさせＢ接点をブレークさせ、また代替品２からの異常信号によりＡ接点をブレークさせＢ接点をメークさせる動作を行なうように接続されている。既設品１と信号送受信部５はリレーコイル１１のＢ接点１１ｂを介して接続されている。また、代替品２と信号送受信部５はリレーコイル１１のＡ接点１１ａを介して接続されている。従って、この場合も、既設品１と代替品２は信号送受信部５に対して並列に接続されている。
【００４８】
既設品１に異常が発生する前に、図５のように既設品１と代替品２と信号送受信部を接続しても代替品２が正常に動作しているときは、代替品２からの正常信号によりリレーコイル１１に電圧が印加され、リレーコイル１１のＡ接点１１ａはメーク、リレーコイル１１のＢ接点１１ｂはブレークしており、信号送受信部５は代替品５と接続状態になっている。代替品２が異常になると、この異常を検出した異常信号により、リレーコイル１１に電圧が印加されなくなり、リレーコイル１１のＡ接点１１ｂはブレーク、リレーコイル１１のＢ接点１１ｂはメークして、信号送受信部５は既設品１と接続状態になり、自動的に代替品２から既設品１に切替えられ、既設品１により動作するようになる。つまり、まだ寿命に達していない既設品１をバックアップとして利用する。
【００４９】
（第６の実施の形態）
次に本発明の第６の実施の形態を、図６を参照して説明する。
【００５０】
図６に示すように、既設品１から信号送受信部５へ接続が必要な信号線の片側を既設品１に接続し、もう片側に既設品側コネクタ１４を接続する。また、代替品２から信号送受信部５へ接続が必要な信号線の片側を代替品２に接続し、もう片側に代替品コネクタ１５を接続する。既設品側コネクタ１４と代替品側コネクタ１５は同じ極数で、同型である。
【００５１】
信号送受信部５は、既設品１または代替品２へ接続が必要な信号線の片側を信号送受信部５に接続し、もう片側に信号送受信部側コネクタ１６を接続する。信号送受信部側コネクタ１６は、既設品側コネクタ１４または代替品側コネクタ１５と接続できるように同じ極数で、嵌合できるものである。
【００５２】
既設品１と信号送受信部５の間で信号の送受信したい場合は、既設品側コネクタ１４と信号送受信部側コネクタ１６を嵌合させる。代替品２は、信号送受信部５と接続されていないので、代替品２と信号送受信部５の間では、信号の送受信はされない。同様に、代替品２と信号送受信部５の間で信号の送受信をしたい場合は、代替品側コネクタ１５と信号送受信部側コネクタ１６を嵌合させる。既設品１は、信号送受信部５と接続されていないので、既設品１と信号送受信部５の間では信号の送受信はされない。
【００５３】
このように、信号送受信部側コネクタ１６が嵌合する相手方のコネクタを、既設品側コネクタ１４及び代替品側コネクタ１５のうちの一方から他方に切替えることにより、信号送受信部５との信号の送受信は、既設品１および代替品２のうちの一方から他方に切替えられる。
【００５４】
（第７の実施の形態）
次に本発明の第７の実施の形態を、図７を参照して説明する。
【００５５】
図７に示すように、信号送受信部５から信号線２０を分岐させ、スイッチ１９を介して、既設品１および代替品２へ接続する。同様に、信号送受信部５から信号線２１はスイッチ１８を介して既設品１および代替品２へ、信号線２２はスイッチ１７を介して既設品１および代替品２へ接続されている。なお、スイッチ１７、スイッチ１８、スイッチ１９は、それぞれ既設品側と代替品側を連動させ、既設品側と代替品側の一方が閉（ＯＮ）のときは他方が開（ＯＦＦ）となるように構成する。
【００５６】
スイッチ１７、スイッチ１８、スイッチ１９のそれぞれを左側に倒すと、信号線２０、信号線２１、信号線２２は、既設品１と信号送受信部５の間が接続されるようになる。全てのスイッチを同方向に倒す必要はなく、例えば上記の全ての信号線が既設品１と信号送受信部５の間に接続されている状態から、信号線２１の信号だけ代替品２から送受信したい場合は、スイッチ１７は左側、スイッチ１８は右側、スイッチ１９は左側のようにスイッチを設定することで、信号により既設品１または代替品２を選択することが可能になる。
【００５７】
（第８の実施の形態）
次に本発明の第８の実施の形態を、図８を参照して説明する。
【００５８】
近年のエレベーターには、２４時間エレベーターの状態を監視したり、遠隔で操作したりするために、遠隔監視端末装置が設置されている。この実施の形態は、遠隔監視端末装置の機能を利用したものである。
【００５９】
遠隔監視端末装置２３は電話回線等によりエレベーター保守会社に接続されている。遠隔監視端末装置２３とリレーコイル２４は接続されており、エレベーター保守会社は遠隔操作により、リレーコイル２４に電圧を印加させることができる。既設品１は、リレーコイル２４のＢ接点２４ｂを介して信号送受信部５に接続されている。また、代替品２はリレーコイル２４のＡ接点２４ａを介して信号送受信部５に接続されている。
【００６０】
エレベーター保守会社が遠隔地より、遠隔監視端末装置２３にリレーコイル２４に電圧を印加するよう指令を発すると、リレーコイル２４のＢ接点２４ｂはブレーク、Ａ接点２４ａはメークする。これにより信号送受信部５との信号の送受信は既設品１から代替品２に切替えられる。リレーコイル２４に電圧の印加を止めるように指令を発すると、リレーコイル２４のＢ接点２４ｂはメーク、Ａ接点２４ｂはブレークし、信号送受信部５との信号の送受信は、代替品２から既設品１へ切替えられる。
【００６１】
【発明の効果】
以上述べたように本発明によれば、信号送受信部に対する信号送受信機能を有する機器の既設品から代替品への切替を簡単にすることで、時間のかかる切替作業を途中で中止させることが可能になることや、既設品に異常が発生しても短時間で代替品に切替えられることや、代替品に異常が発生しても短時間で既設品に切替えることや、自動的に既設品から代替品へ或いは代替品から既設品へ切替わること等により、故障等によるエレベーターの停止時間を短くすることができ、エレベーターの運行への影響を軽減することができる。
【図面の簡単な説明】
【図１】本発明のエレベーターの信号切替方法の第１の実施の形態を説明するための回路図。
【図２】本発明のエレベーターの信号切替方法の第２の実施の形態を説明するための回路図。
【図３】本発明のエレベーターの信号切替方法の第３の実施の形態を説明するための回路図。
【図４】本発明のエレベーターの信号切替方法の第４の実施の形態を説明するための回路図。
【図５】本発明のエレベーターの信号切替方法の第５の実施の形態を説明するための回路図。
【図６】本発明のエレベーターの信号切替方法の第６の実施の形態を説明するための回路図。
【図７】本発明のエレベーターの信号切替方法の第７の実施の形態を説明するための回路図。
【図８】本発明のエレベーターの信号切替方法の第８の実施の形態を説明するための回路図。
【図９】従来方法を説明するための既設品と信号送受信部の接続を示す回路図。
【図１０】従来方法を説明するための代替品と信号送受信部の接続を示す回路図。
【符号の説明】
１…既設品
２…代替品
３…既設品側コネクタ
４…代替品側コネクタ
５…信号送受信部
６…既設品側スイッチ
７…代替品側スイッチ
８…リレーコイル
８ａ…Ａ接点
８ｂ…Ｂ接点
９…リレー動作スイッチ
１０…リレーコイル
１０ａ…Ａ接点
１０ｂ…Ｂ接点
１１…リレーコイル
１１ａ…Ａ接点
１１ｂ…Ｂ接点
１２、１３…信号線
１４…既設品側コネクタ
１５…代替品側コネクタ
１６…信号送受信部側コネクタ
１７、１８、１９…スイッチ
２０、２１、２２…信号線
２３…遠隔監視端末装置
２４…リレーコイル
２４ａ…Ａ接点
２４ｂ…Ｂ接点
【図１】
2004010200.tif 000003
【図２】
2004010200.tif 000004
【図３】
2004010200.tif 000005
【図４】
2004010200.tif 000006
【図５】
2004010200.tif 000007
【図６】
2004010200.tif 000008
【図７】
2004010200.tif 000009
【図８】
2004010200.tif 000010
【図９】
2004010200.tif 000011
【図１０】
2004010200.tif 000012